(57)【要約】【課題】医療用の分野等の用途に好適なガイドワイヤを製造するにおいて、高品質、高生産性にて加工することができるガイドワイヤに付形部を成形するのに使用する焼型および、ガイドワイヤの製造方法を提供する。【解決手段】焼型１は、蓋体３が押え縁板部３４、３５を内側にして長手方向に湾曲している。これにより、金型本体２に蓋体３を被せた際、弾性反力利用により、金型本体２を蓋板部側に押し付ける押し付け力が大きくなり、さらに加熱炉内においても、より確実に金型本体２を保持する。それゆえに、金型本体２からの蓋体３、および金型本体２の型溝４に挿入されたガイドワイヤの脱落が防止できる。【選択図】図８
2006341074.tif 000002
【特許請求の範囲】
【請求項１】
金属線コイルからなるガイドワイヤの所定部分に湾曲形状の付形部を熱処理成形するための焼型であって、表面に前記付形部に対応した形状に沿って凹設されるとともに側面に開口した開口部を有する型溝を設けた板状の金型本体と、前記金型本体の表面に被せられる蓋体とを備える焼型において、
前記蓋体は、前記金型本体の前記表面と接合する蓋板部と、前記金型本体とスライド可能に嵌合するとともに前記金型本体を蓋板部側に押し付け保持する押し付け手段とを有し、
前記蓋体の前記押し付け手段は、前記蓋板部の両側から前記金型本体の裏面方向に延設された側板部と、この各側板部から内側に延設され前記金型本体の裏面に圧接する押え縁板部とを有することを特徴とする焼型。
【請求項２】
金属線コイルからなるガイドワイヤの所定部分に湾曲形状の付形部を熱処理成形するための焼型であって、表面に前記付形部に対応した形状に沿って凹設されるとともに側面に開口した開口部を有する型溝を設けた板状の金型本体を備える焼型において、
複数個の前記金型本体を、隣接する前記金型本体の裏面と前記表面とが密着するように重ねるとともに、
この重ねられた複数個の前記金型本体のうち、一方の端に位置する前記金型本体の前記表面に当て板を当接し、
前記金型本体と前記当て板とを固定する固定手段を有し、
前記固定手段は、前記金型本体および前記当て板を挟み固定するアームを有し、前記アームの長さが前記金型本体の厚さと個数、および前記当て板の厚さに応じた所定長であることを特徴とする焼型。
【請求項３】
金属線コイルからなるガイドワイヤの所定部分に湾曲形状の付形部を熱処理成形するための焼型であって、表面に前記付形部に対応した形状に沿って凹設されるとともに側面に開口した開口部を有する型溝を設けた板状の金型本体を備える焼型において、
複数個の前記金型本体を、隣接する前記金型本体の裏面と前記表面とが密着するように重ねるとともに、
この重ねられた複数個の前記金型本体のうち、一方の端に位置する前記金型本体の前記表面に当て板を当接し、
前記金型本体と前記当て板とを固定する固定手段を有し、
前記固定手段は、前記金型本体に貫通されるピンにねじ締めされることによりなる締結手段であることを特徴とする焼型。
【請求項４】
金属線コイルからなるガイドワイヤの所定部分に湾曲形状の付形部を熱処理成形するための焼型であって、表面に前記付形部に対応した形状に沿って凹設されるとともに側面に開口した開口部を有する型溝を設けた板状の金型本体を備える焼型において、
複数個の前記金型本体を、隣接する前記金型本体の裏面と前記表面とが密着するように重ねるとともに、
この重ねられた複数個の前記金型本体のうち、一方の端に位置する前記金型本体の前記表面に当て板を当接し、
前記金型本体と前記当て板とを固定する固定手段を有し、
前記固定手段は、前記金型本体に貫通されるピンにクリップが挿入されたことによりなる係止手段であることを特徴とする焼型。
【請求項５】
請求項１ないし請求項４のいずれかに記載の焼型において、
前記型溝は、前記表面に、直線的に凹設された直線部と、前記直線部から２種以上の形状に枝別れし凹設された湾曲部とを有することを特徴とする焼型。
【請求項６】
請求項１ないし請求項４のいずれかに記載の焼型において、
前記金型本体は、向かい合う２つの側面に開口した前記開口部を有するとともに各側面の前記開口部から前記付形部に対応した形状に沿って前記表面に凹設された前記型溝を設けられたことを特徴とする焼型。
【請求項７】
請求項１ないし請求項６のいずれかに記載の焼型において、
前記金型本体は、前記金型本体の前記表面および裏面に、前記型溝を設けられたことを特徴とする焼型。
【請求項８】
請求項１ないし請求項７のいずれかに記載の焼型において、
前記金型本体は、前記型溝が複数並設されていることを特徴とする焼型。
【請求項９】
請求項１に記載の焼型において、
前記蓋体の前記押し付け手段は、前記金型本体の前記表面に向けて突設する凸部を有することを特徴とする焼型。
【請求項１０】
請求項１に記載の焼型において、
前記蓋体の前記押し付け手段は、前記蓋体が前記押え縁板部を内側にして湾曲していることを特徴とする焼型。
【請求項１１】
請求項１０に記載の焼型において、
前記蓋体の前記蓋板部は、前記押え縁板部と反対の方向に向かって突設する突出部を有することを特徴とする焼型。
【請求項１２】
請求項２ないし請求項４のいずれかに記載の焼型において、
各々の前記金型本体は、通気孔を有することを特徴とする焼型。
【請求項１３】
請求項１ないし請求項１２のいずれかに記載の焼型を用いたガイドワイヤの製造方法。
【請求項１４】
請求項１３に記載のガイドワイヤの製造方法において、オーステナイト系ステンレス鋼線材からなり、かつ、磁性を帯びた前記金属線コイルを用いることを特徴とするガイドワイヤの製造方法。
【請求項１５】
請求項１３または請求項１４に記載のガイドワイヤの製造方法において、
前記金属線コイルに安全ワイヤを挿入して、前記安全ワイヤの前端を前記金属線コイルの付形すべき側の一端部に固定するとともに、この固定端以外を自由状態にして、前記金属線コイルから突き出してセットし、前記金属線コイルを前記焼型に挿入したまま熱処理成形し、その後、前記金属線コイルから突き出した部分の前記安全ワイヤを切断して、この切断端を前記金属線コイルの他端部に固定することを特徴とするガイドワイヤの製造方法。
【請求項１６】
請求項１３または請求項１４に記載のガイドワイヤの製造方法において、
前記金属線コイルを前記焼型に挿入したまま熱処理成形し、その後、前記金属線コイルの内部に芯線と安全ワイヤを挿入し、前記安全ワイヤの前端を前記金属線コイルの付形した側の一端部に固定するとともに、前記安全ワイヤと前記芯線のそれぞれの後端を前記金属線コイルの他端部に固定することを特徴とするガイドワイヤの製造方法。
【請求項１７】
請求項１３ないし請求項１６のいずれかに記載のガイドワイヤの製造方法において、加熱処理後の前記ガイドワイヤの外周に、電解研磨または電解研磨と電解研磨後の超音波洗浄を施すことを特徴とするガイドワイヤの製造方法。
【請求項１８】
請求項１３ないし請求項１７のいずれかに記載のガイドワイヤの製造方法において、加熱処理後の前記ガイドワイヤの外周に樹脂被覆を施し、さらにこの樹脂被覆の外周に親水性ポリマーの被覆層を設けることを特徴とするガイドワイヤの製造方法。
【発明の詳細な説明】
【技術分野】
【０００１】
本発明は、血管、尿管、器官等へのカテーテルの挿入や、血管の動脈瘤形成部への体内留置具の挿入の際にガイドとして用いられる医療用の分野等の用途に好適なガイドワイヤに係わり、特にガイドワイヤに付形部を成形するのに使用する、焼型およびその焼型を用いたガイドワイヤの製造方法に関するものである。
【背景技術】
【０００２】
ガイドワイヤ９は（図１２参照）、ステンレス・プラチナ・金・タングステンなどの金属線を密着状にコイリングした可撓性の金属線コイル９１と、ステンレス・炭素鋼などの材質にて形成された芯線９２と、金属線コイル９１の伸びを防止するための安全ワイヤ９３とを有するとともに、一方の端部は、湾曲形状に曲成した付形部９４となっている（付形部９４側を前端側とする）。金属線コイル９１の内部に芯線９２および安全ワイヤ９３が挿入される。安全ワイヤ９３は両端が金属線コイル９１の両端部に固定されており、芯線９２は前端がテーパー状に形成されており、後端のみが、金属線コイル９１の後端に固定されている（図１２（ａ）、図１２（ｂ）参照）。
また、ガイドワイヤ９の付形部９４は、芯線９２が固定されていないため、柔軟となっている。これは、血管等を損傷しないようにするためである。
【０００３】
付形部９４を有するガイドワイヤ９の製造方法には、ガイドワイヤ９の芯線９２が固定されていない側の端部である前端部を、湾曲形状に凹設された型溝が設けられた金型本体内に挿入し、蓋体を被せた後、加熱炉に入れ、熱処理成形し、湾曲形状の付形部９４を成形するという方法がある（特許文献１）。
【０００４】
しかし、蓋体を被せるだけでは、熱処理による熱変形により、蓋体が脱落し、ガイドワイヤ９が脱落するなどの問題があり、品質の高い付形形状が得られないことがあった。
特に、金型本体とガイドワイヤとの熱膨張係数の差から生じる歪み、変形などにより、外径１ｍｍ以下のような線径が小さいガイドワイヤの付形部に変形を生じさせやすい。
また、同一金型本体により多形状の成形を可能にし、複数同時に効率よく成形するといった、生産性向上に繋がる手段は特許文献１には提示されていない。
【特許文献１】特許第３３００１５５号公報
【発明の開示】
【発明が解決しようとする課題】
【０００５】
本発明は、上記の問題点を解決するためになされたものであり、ガイドワイヤの付形部の成形に用いられる焼型であって、ガイドワイヤの脱落を防止する蓋体を有する焼型、多形状の成形可能な焼型、複数のガイドワイヤを同時に成形する焼型を提供するとともに、高品質、高生産性にて加工することができるガイドワイヤの製造方法を提供することを目的とする。
【課題を解決するための手段】
【０００６】
〔請求項１の手段〕
請求項１に記載の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体と、金型本体の表面に被せられる蓋体とを備える焼型において、蓋体は、金型本体の表面と接合する蓋板部と、金型本体とスライド可能に嵌合するとともに金型本体を蓋板部側に押し付け保持する押し付け手段とを有し、蓋体の押し付け手段は、蓋板部の両側から金型本体の裏面方向に延設された側板部と、この各側板部から内側に延設され金型本体の裏面に圧接する押え縁板部とを有する。
【０００７】
蓋体が、金型本体の表面と接合する蓋板部と、金型本体とスライド可能に嵌合するとともに金型本体を蓋板部側に押し付け保持する押し付け手段とを有することにより、金型本体への蓋体の装着が容易であり、型溝の設けられた金型本体の表面が蓋板部に押し付けられることで、型溝に挿入されたガイドワイヤの脱落が防止できる。さらに、加熱炉内の熱風を、ガイドワイヤに直接当てることなく、蓋体と金型本体との空間部の温度を、より一定に保つことができるという効果もある。
そして、蓋体の押し付け手段は、蓋板部の両側から金型本体の裏面方向に延設された側板部と、各側板部から内側に延設され金型本体の裏面に圧接する押え縁板部とを有することにより、押え縁板部が、金型本体を蓋体の蓋板部側に押し付け、金型本体を保持するため、金型本体からの蓋体、および金型本体の型溝に挿入されたガイドワイヤの脱落が防止できる。
【０００８】
〔請求項２の手段〕
請求項２に記載の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体を備える焼型において、複数個の金型本体を、隣接する金型本体の裏面と表面とが密着するように重ねるとともに、この重ねられた複数個の金型本体のうち、一方の端に位置する金型本体の表面に当て板を当接し、金型本体と当て板とを固定する固定手段を有し、固定手段は、金型本体および当て板を挟み固定するアームを有し、アームの長さが金型本体の厚さと個数、および当て板の厚さに応じた所定長である。
【０００９】
これによれば、隣接する金型本体の裏面が金型本体の型溝が設けられた表面に密着するよう重ねられるため、隣接する金型本体が蓋体の役割をする。重ねられた複数個の金型本体のうち一方の端に位置する金型本体には当て板が当接させられ、当て板が蓋体の役割をする。したがって、個々の金型本体にそれぞれ蓋体を被せる必要はなくなり、作業工程を削減できる。また、金型本体および当て板を、固定手段により固定したことにより、型溝に挿入された金属線コイルの脱落の虞がなくなる。
また、複数の金型本体を重ねることで、重ねずに複数の金型本体を加熱炉内に入れる場合のように、加熱炉内で場所をとることがなく、スペースを節約できる。
また、固定手段は、金型本体および当て板を挟み固定するアームを有し、アームの長さが金型本体の厚さと個数、および当て板の厚さに応じた所定長でるため、工具を使うことなくアームで挟むだけで、複数個の金型本体と蓋体とが固定される。さらに、アームの長さを金型本体の厚さと個数、および蓋体の厚さに応じた長さとすることで、金型本体の所定個数のセットを可能とし、金型本体の個数を数える必要がなく、１個の金型本体当たりのガイドワイヤの数の情報だけで、成形されるガイドワイヤの総数を知ることができる。
【００１０】
〔請求項３の手段〕
請求項３に記載の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体を備える焼型において、複数個の金型本体を、隣接する金型本体の裏面と表面とが密着するように重ねるとともに、この重ねられた複数個の金型本体のうち、一方の端に位置する金型本体の表面に当て板を当接し、金型本体と当て板とを固定する固定手段を有し、固定手段は、金型本体に貫通されるピンにねじ締めされることによりなる締結手段である。
【００１１】
〔請求項４の手段〕
請求項４に記載の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体を備える焼型において、複数個の金型本体を、隣接する前記金型本体の裏面と表面とが密着するように重ねるとともに、この重ねられた複数個の金型本体のうち、一方の端に位置する金型本体の表面に当て板を当接し、金型本体と当て板とを固定する固定手段を有し、固定手段は、金型本体に貫通されるピンにクリップが挿入されたことによりなる係止手段である。
【００１２】
〔請求項５の手段〕
請求項５に記載の焼型では、型溝は、表面に、直線的に凹設された直線部と、直線部から２種以上の形状に枝別れし凹設された湾曲部とを有する。
これにより、同一の金型本体を用いて、２種以上の形状の付形部を成形することが可能であり、異なる形状の付形部の成形をする毎に、金型本体を変更する必要がなく、その分、作業工程を削減できる。
【００１３】
〔請求項６の手段〕
請求項６に記載の焼型では、金型本体は、向かい合う２つの側面に開口した開口部を有するとともに各側面の開口部から付形部に対応した形状に沿って表面に凹設された型溝を設けられた。
これにより、金型本体の向きを入れ替えることなく、向かい合う２つの方向から焼型へのガイドワイヤの組み付け作業をすることができ、組み付け作業の効率化、組み付け作業スペースの省スペース化に繋がる。
【００１４】
〔請求項７の手段〕
請求項７に記載の焼型では、金型本体は、金型本体の表面および裏面に、型溝を有する。
これにより、１つの金型本体で、ガイドワイヤ２本を同時に成形することができ、生産性が向上する。
【００１５】
〔請求項８の手段〕
請求項８に記載の焼型では、金型本体は、型溝が複数並設されている。
これにより、１つの金型本体で、ガイドワイヤを複数同時に成形することができ、生産性が向上する。
【００１６】
〔請求項９の手段〕
請求項９に記載の焼型では、蓋体の押し付け手段は、金型本体の表面に向けて突設する凸部を有する。
これにより、さらに確実に金型本体を蓋体の蓋板部側に押し付け、金型本体を保持するため、金型本体からの蓋体、および金型本体の型溝に挿入されたガイドワイヤの脱落が防止できる。
【００１７】
〔請求項１０の手段〕
請求項１０に記載の焼型では、蓋体の押し付け手段は、蓋体が押え縁板部を内側にして湾曲している。
これにより、さらに確実に金型本体を蓋体の蓋板部側に押し付け、金型本体を保持するため、金型本体からの蓋体、および金型本体の型溝に挿入されたガイドワイヤの脱落が防止できる。
【００１８】
〔請求項１１の手段〕
請求項１１に記載の焼型では、蓋体の蓋板部は、押え縁板部と反対の方向に向かって突設する突出部を有する。
これにより、高温・常温での繰り返し熱サイクル環境下においても、金型本体との着脱による、耐へたり性を向上させることができる。
【００１９】
〔請求項１２の手段〕
請求項１２に記載の焼型では、各々の金型本体は、通気孔を有する。
これにより、複数の金型本体が、隣接する金型本体の裏面と表面とが重なるよう並べられ、加熱炉に入れられた場合でも、各金型本体へ、均一に熱量を加えることができる。
【００２０】
〔請求項１３の手段〕
上記したような焼型を用いたガイドワイヤの製造方法を提供することにより、高品質、高生産性にてガイドワイヤを製造することができる。
【００２１】
〔請求項１４の手段〕
請求項１４に記載のガイドワイヤの製造方法では、オーステナイト系ステンレス鋼線材からなり、かつ、磁性を帯びた金属線コイルを用いる。
これにより、焼型への金属線コイルの組み付けが容易となる。すなわち、磁性を帯びた金属線コイルであれば、金型本体の裏面側に磁石を配置することで、金型本体へ金属線コイルを吸着することができ、焼型への組み付けが容易となる。
また、オーステナイト系ステンレス鋼材を使用することによって、焼入れ硬化性や高温脆性がないので、熱処理成形後のガイドワイヤの柔軟性を保つことができる。
【００２２】
〔請求項１５の手段〕
請求項１５に記載のガイドワイヤの製造方法では、金属線コイルに安全ワイヤを挿入して、安全ワイヤの前端を金属線コイルの付形すべき側の一端部に固定するとともに、この固定端以外を自由状態にして、金属線コイルから突き出してセットし、金属線コイルを焼型に挿入したまま熱処理成形し、その後、金属線コイルから突き出した部分の安全ワイヤを切断して、この切断端を金属線コイルの他端部に固定する。
安全ワイヤの両端を金属線コイルの両端に固定したとすると、付形形状に曲げたときに、金属線コイルは曲率半径の大きい側に隙間を生じるため、金属線コイルの長さは伸びることになるが、安全ワイヤは容易に伸びないため、両端を伸びようとする金属線コイルに固定されている安全ワイヤには、引張応力が発生する。この引張応力のために、安全ワイヤの破損を招く虞がある。
このため、安全ワイヤの前端のみ固定し、その固定端以外は自由状態となることで、上記したような不具合を回避することができ、付形部を形成する際に、安全ワイヤに負担がかかることがなく、破損の虞を低減できる。
【００２３】
〔請求項１６の手段〕
請求項１６に記載のガイドワイヤの製造方法では、金属線コイルを焼型に挿入したまま熱処理成形し、その後、金属線コイルの内部に芯線と安全ワイヤを挿入し、安全ワイヤの前端を金属線コイルの付形した側の一端部に固定するとともに、安全ワイヤと芯線のそれぞれの後端を金属線コイルの他端部に固定する。
芯線および安全ワイヤを、熱処理成形後の金属線コイルに挿入したことにより、熱処理成形前に安全ワイヤを挿入し、安全ワイヤの両端を金属線コイルの両端に固定した場合に生じる、安全ワイヤに発生する引張応力による安全ワイヤの破損の虞を低減することができる。
【００２４】
〔請求項１７の手段〕
請求項１７に記載のガイドワイヤの製造方法では、加熱処理後のガイドワイヤの外周に、電解研磨または電解研磨と電解研磨後の超音波洗浄を施す。
これにより、ガイドワイヤの耐食性が向上する。
【００２５】
〔請求項１８の手段〕
請求項１８に記載のガイドワイヤの製造方法は、加熱処理後のガイドワイヤの外周に樹脂被覆を施し、さらにこの樹脂被覆の外周に親水性ポリマーの被覆層を設ける。
これにより、ガイドワイヤの外表面の滑性効果を得る事ができる。
【発明を実施するための最良の形態】
【００２６】
最良の形態１の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体と、金型本体の表面に被せられる蓋体とを備える焼型において、蓋体は、金型本体の表面と接合する蓋板部と、金型本体とスライド可能に嵌合するとともに金型本体を蓋板部側に押し付け保持する押し付け手段とを有し、蓋体の押し付け手段は、蓋板部の両側から金型本体の裏面方向に延設された側板部と、この各側板部から内側に延設され金型本体の裏面に圧接する押え縁板部とを有する。
【００２７】
そして、ガイドワイヤの製造方法は、上記した焼型を用いる。
また、オーステナイト系ステンレス鋼線材からなり、かつ、磁性を帯びた金属線コイルを用いる。
また、安全ワイヤの前端を金属線コイルの付形すべき側の一端部に固定するとともに、この固定端以外を自由状態にして、金属線コイルから突き出してセットし、金属線コイルを焼型に挿入したまま熱処理成形し、その後、金属線コイルから突き出した部分の安全ワイヤを切断して、この切断端を金属線コイルの他端部に固定する。
しかる後に、加熱処理後のガイドワイヤの外周に、電解研磨または電解研磨と電解研磨後の超音波洗浄を施し、続いて、樹脂被覆を施し、さらにこの樹脂被覆の外周に親水性ポリマーの被覆層を設ける。
【００２８】
最良の形態２の焼型は、型溝は、表面に、直線的に凹設された直線部と、直線部から２種以上の形状に枝別れし凹設された湾曲部とを有する。
そして、ガイドワイヤの製造方法は、金属線コイルを焼型に挿入したまま熱処理成形し、その後、金属線コイルの内部に芯線と安全ワイヤを挿入し、安全ワイヤの前端を金属線コイルの付形した側の一端部に固定するとともに、安全ワイヤと芯線のそれぞれの後端を金属線コイルの他端部に固定する。
【００２９】
最良の形態３の焼型は、金型本体は、向かい合う２つの側面に開口した開口部を有し、各側面の開口部から付形部に対応した形状に沿って表面に凹設された型溝を設けられた。
【００３０】
最良の形態４の焼型は、金型本体は、金型本体の表面および裏面に、型溝を有する。
【００３１】
最良の形態５の焼型は、金型本体は、型溝が平行に複数並設されている。
【００３２】
最良の形態６の焼型は、蓋体の押し付け手段は、金型本体の表面に向けて突設する凸部を有する。
【００３３】
最良の形態７の焼型は、蓋体の押し付け手段は、蓋体が押え縁板部を内側にして湾曲している。
【００３４】
最良の形態８の焼型は、蓋体の押し付け手段は、蓋体が押え縁板部を内側にして湾曲している。また、蓋体の蓋板部は、押え縁板部と反対の方向に向かって突設する突出部を有する。
【００３５】
最良の形態９の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体を備える焼型において、複数個の金型本体を、隣接する金型本体の裏面と表面とが密着するように重ねるとともに、この重ねられた複数個の金型本体のうち、一方の端に位置する金型本体の表面に当て板を当接し、金型本体と当て板とを固定する固定手段を有し、固定手段は、金型本体および当て板を挟み固定するアームを有し、アームの長さが金型本体の厚さと個数、および当て板の厚さに応じた所定長である。また、金型本体は、通気孔を有する。
【実施例１】
【００３６】
〔実施例１の構成〕
実施例１の焼型１の構成を、図１、図２および図１２を用いて説明する。
本実施例の焼型１は、金型本体２と、金型本体２に被せられる蓋体３とを備える。
【００３７】
金型本体２は、被成形物であるガイドワイヤ９の金属線コイル９１と同種の材料にて形成される。すなわち、本実施例では、金属線コイル９１は、オーステナイト系ステンレス鋼線材にて形成されており、金型本体２は、それと熱膨張係数、熱伝導率がいずれも等しい同種の材料であるオーステナイト系ステンレス鋼、又はオーステナイト系ステンレス快削鋼にて形成されている。
金型本体２は、長方形の板状であって、長辺に沿う方向が長手方向、短辺に沿う方向が短手方向である。
金型本体２の表面２１には、金型本体２の長手方向に向かって型溝４が設けられている。
【００３８】
型溝４は、金型本体２の表面に凹設され、金型本体２の短手方向に平行な側面に開口した開口部４１を有する。さらに、型溝４は、開口部４１から直線的に凹設された直線部４２と、直線部４２から滑らかに連続して約２７０度の円弧形状に凹設された湾曲部４３とを有する。型溝４の溝幅と溝深さはガイドワイヤ９の直径に対応した大きさであり、断面形状は矩形形状である。本実施例では、ガイドワイヤ９の直径が０．８９ｍｍで、型溝４の溝幅と溝深さは、ともに０．９ｍｍで形成されている。型溝４の断面形状は矩形形状に限らず、半円状などでもよい。
【００３９】
蓋体３は、金属材料、好ましくは金型本体２と同種の材料の板材より形成されている。蓋体３は、金型本体２の表面２１と接合する蓋板部３１と、金型本体２とスライド可能に嵌合するとともに金型本体２を蓋板部側に押し付け保持する押し付け手段とを有する。
蓋体３は１枚の板材を折り曲げ加工することにより形成されており、金型本体２の表面２１を覆う蓋板部３１と、金型本体２の開口部４１が設けられていない側面である長手方向に平行な両側面を覆う側板部３２、３３と、金型本体２の裏面に圧接する押え縁板部３４、３５とを有する。この押さえ縁板部３４、３５は、金型本体２を蓋板部側に押し付け保持する押し付け手段である。
【００４０】
蓋体３の上部は金型本体２の表面２１を覆うとともに表面２１に接合する蓋板部３１となっており、蓋板部３１は金型本体２の表面２１の形状に比べて、長手方向には少し短く、短手方向には少し大きい長方形をしている。長手方向に少し短くしたのは、金型本体２と蓋体３との着脱を容易にするためである。また、蓋体３は、蓋板部３１の両側から金型本体２の裏面方向に約９０度に折り曲げて延設された側板部３２、３３を有し、各側板部３２、３３の高さは、金型本体２の厚さよりも幾分大きい。さらに蓋体３は、各側板部３２、３３から内側に約１３０度に折り曲げて延設され端部が金型本体２の裏面２２に圧接する押え縁板部３４、３５を有する。
押え縁板部３４、３５の端部は、金型本体２の裏面２２に圧接し、金型本体２を蓋板部側に押し付けている。また、側板部３２、３３および押さえ縁板部３４、３５は、金型本体２を長手方向にスライド可能に保持するよう金型本体２に係合する役目もしている。
【００４１】
〔実施例１の製造方法〕
図１２に示すごとく、ガイドワイヤ９は、金属線コイル９１の内部に芯線９２および安全ワイヤ９３が挿入され、安全ワイヤ９３の両端を金属線コイル９１の両端部に固定し、前端がテーパー状に形成された芯線９２の後端を金属線コイル９１の後端部に固定してなる。また、ガイドワイヤ９は前端部に湾曲形状の付形部９４を有する。このガイドワイヤ９の製造方法は以下の手順からなっている。
【００４２】
金属線コイル９１に、安全ワイヤ９３を挿入し、安全ワイヤ９３の前端を金属線コイル９１の付形すべき側の端部である前端部にロー付け溶着する。前端を固定した安全ワイヤ９３は金属線コイル９１の中空部を自由状態で貫挿し、安全ワイヤ９３の後端は、金属線コイル９１から突き出した状態でセットされる。
続いて、金型本体２の下に磁石５を置き、安全ワイヤ９３の挿入された金属線コイル９１の前端部を金型本体２の型溝４に組み付け、その後に蓋体３を被せる（図２参照）。その後、磁石５をはずし、安全ワイヤ９３の挿入された金属線コイル９１を付形保持した焼型１を加熱炉に入れて、熱処理成形する。
【００４３】
熱処理成形後、前端にテーパーが形成された芯線９２を金属線コイル９１に挿入し、芯線９２および安全ワイヤ９３の金属線コイル９１から突き出した部分を切断し、芯線９２および金属線コイル９１のそれぞれの切断端である後端を金属線コイル９１の後端部に溶着固定する。
【００４４】
しかるのち、付形成形されたガイドワイヤ９の付形部９４を電解液に浸漬して、公知の手段により電解研磨を施し、さらに必要に応じてその電解研磨した部分に公知の手段により、超音波洗浄を施す。
続いてガイドワイヤ９を架設治具に取り付けて、スプレーガンによってポリテトラフルオロエチレンを吹き付け、その後、加熱炉に入れ、３８０℃で３０分のポリテトラフルオロエチレンの焼成乾燥を施すことにより、ガイドワイヤ９の外周に樹脂被覆の被覆処理を施す。その後、樹脂被覆の外周にディッピング工法等により、外表面に親水性ポリマーの被覆層を設ける。
【００４５】
〔実施例１の効果〕
金型本体２は、金属線コイル９１と同種の材料にて形成された。これにより、金型本体２と金属線コイル９１との間の熱膨張係数、熱伝導率の差をなくして、付形形状の安定成形が可能となる。
この実施例では、金属線コイル９１の材質は熱膨張係数が一般炭素鋼の１．５〜１．６倍であるオーステナイト系ステンレス鋼である。この場合に、一般炭素鋼で形成された金型本体２を用いるとすると、金属線コイル９１と金型本体２の熱膨張係数の差により、熱処理成形の際に金型本体２の型溝４内での金属線コイル９１の蛇行、歪み、変形を生じやすく、さらに、熱処理成形後の金型本体２からの取り出しも容易に行えない虞がある。又、熱伝導率差を生ずる材料を用いると、昇降温持のタイムラグの発生により、蛇行、歪み、変形を生じやすい。特に、本実施例ではガイドワイヤ９の外径が０．８９ｍｍであり、これに用いる安全ワイヤ９３は細径（幅０．２６５ｍｍ、板厚０．０６５ｍｍであり、この熱影響を大きく受けやすいからである。
一方、金型本体２に金属線コイル９１と同種のオーステナイト系ステンレス鋼、又はオーステナイト系ステンレス快削鋼を用いることで、上述したような不具合を回避することができ、付形形状の安定成形が可能となる。
【００４６】
尚、金型本体２にオーステナイト系ステンレス快削鋼を用いる理由は、金型本体２には、細径の溝幅と溝深さ（ともに０．９ｍｍ）、且つ湾曲形状の型溝４を加工しなければならず金型表面肌、切削傷などを良好とさせる加工性の観点から、又、工具寿命が長く、且つ切り屑処理が容易な快削鋼が望ましいからである。
【００４７】
蓋体３は、金型本体２の表面２１を覆う蓋板部３１と、金型本体２の長手方向に平行な両側面を覆う側板部３２、３３と、金型本体２の裏面２２に圧接する押え縁板部３４、３５とを有する。
これにより、押え縁板部３４，３５は、金型本体２の裏面２２に圧接し、金型本体２を保持するため、金型本体２からの蓋体３、および金型本体２の型溝４に挿入されたガイドワイヤ９の脱落が防止できる。
また、蓋体３が、金型本体２を覆うように被せられる構造であるので、加熱炉内の熱風を、型溝４に挿入されたガイドワイヤ９に直接当てることなく、蓋体３と金型本体２との空間部の温度を、より一定に保つことができるという効果もある。
【００４８】
この実施例の製造方法では、オーステナイト系ステンレス鋼線材にて形成された金属線コイル９１を用いた。
オーステナイト系ステンレス鋼線材は、ダイスによる伸線加工により、加工誘起変態して磁性を帯びる。したがって、金型本体２の下に磁石５を配置し、型溝４に金属線コイル９１を挿入すると、磁力により金属線コイル９１は金型本体２に吸着するため、焼型１への金属線コイル９１の組み付けが容易となる。
また、オーステナイト系ステンレス鋼線材を使用することによって、焼入れ硬化性や高温脆性がないので、成形後のガイドワイヤ９の柔軟性を保つことができる。
【００４９】
また、この製造方法では、金属線コイル９１に、安全ワイヤ９３を挿入し、安全ワイヤ９３の前端を金属線コイル９１の付形すべき側の端部である前端部に固定し、その固定端以外を自由端とし安全ワイヤ１３の後端部は金属線コイル９１から突き出した状態でセットし、安全ワイヤ９３の挿入された金属線コイル９１を焼型１に組み付けた。
【００５０】
安全ワイヤ９３の両端を金属線コイル９１の両端部に固定してから、円弧形状に曲げて成形すると、金属線コイル９１は曲率半径の大きい側に線間に隙間を生じるため、金属線コイル９１の長さは伸びることになる。一方、安全ワイヤ９３は容易に伸びないため、両端部が伸びようとする金属線コイル９１に固定されている安全ワイヤ９３には、引張応力が発生する。この引張応力のために、安全ワイヤ９３の破損を招く虞がある。
特に、本実施例で用いる安全ワイヤ９３は細径（幅０．２６５ｍｍ、板厚０．０６５ｍｍであり、かかる不具合を発生しやすい。
このため、安全ワイヤ９３の前端部のみ固定し、その固定端以外は自由状態となることで、上記したような不具合を回避することができ、付形部９４を形成する際に、安全ワイヤ９３に負担がかかることがなく、破損の虞を低減できる。
【００５１】
ガイドワイヤ９の金属線コイル９１にオーステナイト系ステンレス鋼線材を用いると、線材の冷間伸線加工によって加工誘起変態して磁性を帯び、ダイスによる伸線加工によって表面は鏡面状となるので、公知のファン・デル・ワールスの分子間吸着力が生じるうえ、コイル線間隙間構造のために異物・微小鉄粉が付着しやすくなる。そのため、すきま腐食や、もらい錆により耐食性が低下する虞がある。
そこで、付形成形されたガイドワイヤ９を電解液に浸漬して、電解研磨を施し、さらに超音波洗浄を施したことにより、金属表面の酸化スケールが除去され線材表面のクロム濃度が回復され不動態皮膜を形成されるために、上記したような不具合を防止して、耐食性が向上する。
【００５２】
また、熱処理成形後、ガイドワイヤ９の外周に樹脂被覆を施し、さらにこの樹脂被覆の外周に親水性ポリマーの被覆層を設けたことにより、ガイドワイヤ９の滑性効果が向上し、よりスムーズに血管や、尿管、気管などに挿入することが可能となる。
尚、ここでいう親水性ポリマーとは、湿潤時に潤滑性を有するポリビニルピロリドンなどの潤滑性物質をいう。
【実施例２】
【００５３】
〔実施例２の構成〕
実施例２の焼型１の構成を、図３を用いて説明する。
本実施例の焼型１は、金型本体２が、表面２１に凹設されるとともに金型本体２の短手方向に平行な側面に開口した開口部４１を有する型溝４を設けており、型溝４は、開口部４１と、開口部４１から直線的に凹設された直線部４２と、直線部４２から枝分かれし凹設された３種類の湾曲部４３を有する。３種類の湾曲部４３は、曲率半径が相対的に小さい湾曲形状である第１湾曲部４４、曲率半径が相対的に中程度の湾曲形状である第２湾曲部４５、曲率半径が相対的に大きい湾曲形状である第３湾曲部４６である。
【００５４】
〔実施例２の製造方法〕
ガイドワイヤ９の製造方法は以下の手順からなっている。
金属線コイル９１の前端部を、第１湾曲部４４、第２湾曲部４５、第３湾曲部４６の内のどれかひとつを選択し、金型本体２に挿入する。その後に蓋体３を被せ、金属線コイル９１を付形保持し、そのまま加熱炉に入れて、熱処理成形する。
熱処理成形後、芯線９２および安全ワイヤ９３を、金属線コイル９１に挿入し、安全ワイヤ９３の前端を金属線コイル９１の前端部に溶着固定し、芯線９２および安全ワイヤ９３のそれぞれの後端を金属線コイル９１の後端部に溶着固定する。
【００５５】
〔実施例２の効果〕
金型本体２は、開口部４１と、開口部４１から直線的に凹設された直線部４２と、直線部４２から枝分かれし凹設された３種類の湾曲部４３（第１湾曲部４４、第２湾曲部４５、第３湾曲部４６）を有する型溝４を設けられている。
これにより、同一の金型本体２を用いて、３種類の形状に付形成形することが可能であり、異なる形状に付形成形する毎に、金型本体２を変更する必要がなく、その分、作業工程が少なくなり、生産性が向上する。
【００５６】
ガイドワイヤ９の製造方法において、芯線９２および安全ワイヤ９３を、熱処理成形後に挿入し、その両端を金属線コイル９１の両端に固定した。
これにより、安全ワイヤ９３を挿入して両端を金属線コイル９１の両端に固定した後に湾曲させ熱処理成形する場合に生じる、安全ワイヤ９３に発生する引張応力による安全ワイヤ９３の破損の虞を低減することができる。
【実施例３】
【００５７】
実施例３の焼型１の構成を、図４を用いて説明する。
本実施例の焼型１は、金型本体２が、表面に凹設されるとともに金型本体２の短手方向に平行な側面に開口した開口部４１を有する第１型溝４Ａを設けられている。また、金型本体２は、表面に凹設されるとともに開口部４１が設けられた側面と向かい合う側面に開口した開口部４７を有する第２型溝４Ｂを設けられている。
本実施例では、第２型溝４Ｂは、第１型溝４Ａの対称形状であるとともに第１型溝４Ａと第２型溝４Ｂとが同一直線上に設けられており、第１型溝４Ａおよび第２型溝４Ｂの一部が、第１型溝４Ａと第２型溝４Ｂとが共有する共有部４８となっている。本実施例では第１型溝４Ａと第２型溝４Ｂとが同一直線上に設けられているが、同一直線上に設けられていなくてもよい。
【００５８】
金型本体２は、向かい合う２つの側面に開口した開口部４１，４７を有するとともに各側面の開口部４１，４７から付形形状に沿って表面に凹設された第１型溝４Ａと第２型溝４Ｂを設けられている。これにより、開口部４１からも、開口部４７からもガイドワイヤ９を挿入し、組み付けることができる。したがって、金型本体２の向きを入れ替えることなく、対向する２つの方向から焼型１へのガイドワイヤ９の組み付け作業をすることができ、組み付け作業の効率化、組み付け作業スペースの省スペース化に貢献する。
【実施例４】
【００５９】
実施例４の焼型１の構成を、図５を用いて説明する。
本実施例の焼型１は、金型本体２は、表面２１および裏面２２に、型溝４が形成されている。
図５では、表面２１と裏面２２に、同じ形状の型溝４が設けられているが、互いに異なる形状の型溝４が設けられていてもよい。
これにより、１つの金型本体２で、２本のガイドワイヤ９を同時に成形することができ、生産性が向上する。
【実施例５】
【００６０】
実施例５の焼型１の構成を、図６を用いて説明する。
本実施例の焼型１は、金型本体２に、３つの型溝４が平行に並設されている。
これにより、１つの金型本体２で、複数本のガイドワイヤ９を同時に成形することができ、生産性が向上する。
【実施例６】
【００６１】
実施例６の焼型１の構成を、図７を用いて説明する。
焼型１は、蓋体３の押し付け手段が、金型本体２の表面２１に向けて突設する凸部を有する。すなわち、蓋体３に、蓋体３を金型本体２に被せた際に金型本体２の表面２１に突き当たるように、蓋板部３１の中心を窪ませた窪み３６を設けて、窪み３６が金型本体２の表面２１に突設する凸部となるようにした。
【００６２】
押え縁板部３４、３５に加え、金型本体２の表面２２に向けて突き当たる凸部である窪み３６を有することにより、金型本体２を蓋板部側へ押し付ける押し付け力が大きくなり、さらに確実に金型本体２を保持する。それゆえに、金型本体２からの蓋体３、および金型本体２の型溝４に挿入されたガイドワイヤ９の脱落が防止できる。
本実施例では、蓋体３に窪み３６を設けたが、蓋体３が金型本体２の表面２１に向けて突設する凸部を有すればよく、蓋板部３１の金型本体側の面に突起物を設ける構成にしてもよい。
【実施例７】
【００６３】
実施例７の焼型１の構成を、図８を用いて説明する。
本実施例の焼型１は、蓋体３が押え縁板部３４、３５を内側にして長手方向に湾曲している。
これにより、金型本体２に蓋体３を被せた際、弾性反力利用により、金型本体２を蓋板部側に押し付ける押し付け力が大きくなり、さらに加熱炉内においても、より確実に金型本体２を保持する。それゆえに、金型本体２からの蓋体３、および金型本体２の型溝４に挿入されたガイドワイヤ９の脱落が防止できる。本実施例では、蓋体３は、長手方向に湾曲しているが、短手方向に湾曲していてもよい。
【実施例８】
【００６４】
実施例８の焼型１の構成を、図９を用いて説明する。
本実施例の焼型１は、蓋体３は、押え縁板部３４、３５を内側にして長手方向に湾曲しているとともに、押し付け力に対する強度を持たせるため蓋板部３１の外側に凸設された突出部３７が設けられている。
これにより、特に蓋体３の中央部での断面二次モーメントをより増大させ、高温・常温での繰り返し熱サイクル環境下においても、金型本体２との着脱による、耐へたり性を向上させることができる。
【実施例９】
【００６５】
〔実施例９の構成〕
実施例９の焼型１の構成を、図１０を用いて説明する。
本実施例の焼型１は、金属線コイル９１と同種の材料にて形成された複数個の金型本体２を、隣接する金型本体２の裏面２２と表面２１とが密着するように重ねた構成を有する。また、この重ねられた複数個の金型本体２のうち、一方の端の金型本体２Ａには、表面２１に当て板６を当接し、金型本体２および当て板６を、固定手段７により固定したことからなる。
【００６６】
複数個の金型本体２は、金型本体２の型溝４が設けられた表面２１を垂直にし、長手方向に平行な側面を下にして配されている。隣接する金型本体２の裏面２２と表面２１とは密着するように重ねられ、重ねられた複数個の金型本体２は、型枠６Ａに取り付けられる。それぞれの金型本体２には同じ位置に貫通穴２６と通気孔２７が設けられている。
【００６７】
型枠６Ａは、床６１と、床６１から垂直に設けられた後壁６２と、床６１および後壁６２と垂直に設けられる側壁６３と、側壁６３に設けられたピン６４を有する。
図１０（ａ）に示すごとく、複数個の金型本体２は、表面２１を側壁側にし、開口部４１が設けられていない側の側面を後壁側にして、貫通穴２６にピン６４が通され、型枠６Ａにセットされる。このようにして、隣接する金型本体２の裏面２２と表面２１とが密着するように重ねられ、図１０（ｂ）に示すごとく金型本体２が型枠６Ａにセットされる。
【００６８】
床６１には、ガイドワイヤ９を金型本体２の型溝４に挿入した際に金型本体２からはみ出るガイドワイヤ９を開口部４１と平行に設置するためのセット治具部６５が設けられている。平行に設置する理由は、この部分の折れ曲がり・変形を防止するためである。特に、本実施例のガイドワイヤ９は細径（直径１ｍｍ以下）であり、自重により変形しやすく、且つ金型本体２による伝導熱、雰囲気中での対流熱との差を受け易いポイントであるからである。
【００６９】
当て板６は、本実施例では、側壁６３のことである。側壁６３は、重ねられた金型本体２の側壁側の端に配置された金型本体２Ａの表面２１に当接し、実施例１での蓋体３の役割をする。側壁側の端に配置された金型本体２Ａ以外の金型本体２は、隣接する金型本体２が蓋体３の役割をする。
【００７０】
重ねられた金型本体２と、側壁側の端に位置する金型本体２Ａの当て板６である側壁６３とは固定手段７であるアーム治具７Ａにより固定される。
アーム治具７Ａは、重ねられた金型本体２を挟むアーム部７１と、アーム部７１の根元に設けられた錘の役目をするウェイト部７２とを有する。
ウェイト部７２は、ピン６４に通された一番外側の端の金型本体２に接するように配置される部分であり、金型本体２の通気孔２７と対応する位置に通気孔７３が設けられるとともに、型枠６Ａのピン６４が通る溝７４、および把持部７５が設けられている。
アーム部７１の挟む部分の長さＬは、金型本体２の個数に金型本体２の厚さを乗じ、側壁６３の厚さを足した分の長さと等しく、アーム部７１は貫通穴２６にピン６４が通され型枠６Ａにセットされた金型本体２と当て板６である側壁６３を挟む。
【００７１】
〔実施例９の製造方法〕
例えば、５個の金型本体２に、それぞれガイドワイヤ９を挿入し、金型本体２の貫通穴２６に型枠６Ａのピン６４を貫通させ、セットする。そして、５個の金型本体２の厚さに型枠６Ａの側壁６３の厚さを足した長さのアーム部７１を有するアーム治具７Ａを溝７４に型枠６Ａのピン６４が通るよう、型枠６Ａおよび金型本体２に置く。
その後に、型枠６Ａごと加熱炉に入れ、熱処理成形を施す。
【００７２】
〔実施例９の効果〕
これによれば、隣接する金型本体２の裏面２２が金型本体２の型溝４が設けられた表面２１に密着するよう重ねられるため、隣接する金型本体２が蓋体３の役割をする。また、重ねられた複数個の金型本体２のうち一方の端に位置する金型本体２Ａには側壁６３が重ねられ蓋体３の役割をする。したがって、個々の金型本体２にそれぞれ蓋体３を被せる必要はなくなり、作業工程を削減できる。
さらに、複数の金型本体２を重ねているため、特に、各々の金型本体２の表面２１を垂直にして重ねられているため、重ねない場合に比べ、加熱炉内でスペースを節約できる。
また、各々の金型本体２が付形部９４側に通気孔２７を有することで、各々の金型本体２の付形部へ、均一に熱量を加えることができる。
【００７３】
また、重ねられた金型本体２と側壁６３とを、アーム治具７Ａにより固定したことにより、重ねられた金型本体２が互いにぴったりと合わせられ固定されるとともに、側壁側の端に位置する金型本体２Ａと側壁６３とが固定されるため、各々の金型本体２の型溝４に挿入されたガイドワイヤ９の脱落の虞がなくなる。
また、アーム部７１の長さＬを、金型本体２の厚さと個数、および当て板６である側壁６３の厚さに応じた長さとすることで、金型本体２の所定個数のセットが可能となる。本実施例のアーム治具７Ａは、金型本体５個用のアーム部７１を有するものであったが、金型本体１０個用なども可能である。このように、所定個数のセットが可能となることで、何個用のアーム治具７Ａを使ったかの情報と、１個の金型本体２当たりのガイドワイヤ９の本数の情報だけで、成形されるガイドワイヤ９の総数を知ることができるため、金型本体２の個数を数える必要がなく、作業の効率化に繋がり、生産性が向上する。
【００７４】
〔変形例〕
実施例９では、重ねられた金型本体２と側壁６３との固定手段７は、アーム治具７Ａであったが、図１１（ａ）に示すような締結手段７Ｂ、または図１１（ｂ）に示すような係止手段７Ｃであってもよい。締結手段７Ｂは、座金付ナット７６をピン６４に設けられた雌ねじ部７７にねじ締めされることによりなる。また、係止手段７Ｃは、クリップ７８をピン６４に設けられた溝７９に挿入されることによりなる。
【図面の簡単な説明】
【００７５】
【図１】焼型の三面図であり、（ａ）は焼型の表面から見た正面図、（ｂ）は底面図、（ｃ）は右側面図である（実施例１）。
【図２】焼型に金属線コイルを組み付けた際の斜視図である（実施例１）。
【図３】焼型の斜視図である（実施例２）。
【図４】焼型の斜視図である（実施例３）。
【図５】焼型の斜視図である（実施例４）。
【図６】焼型の斜視図である（実施例５）。
【図７】焼型の三面図であり、（ａ）は焼型の表面から見た正面図、（ｂ）は底面図、（ｃ）は右側面図である（実施例６）。
【図８】焼型の三面図であり、（ａ）は焼型の表面から見た正面図、（ｂ）は底面図、（ｃ）は右側面図である（実施例７）。
【図９】焼型の三面図であり、（ａ）は焼型の表面から見た正面図、（ｂ）は底面図、（ｃ）は右側面図である（実施例８）。
【図１０】焼型の斜視図であり、（ａ）は型枠に金型本体をセットする工程説明図、（ｂ）は型枠に金型本体をセットした後のアーム治具の組み付け図である（実施例９）。
【図１１】焼型の斜視図であり、（ａ）は締結手段の組み付け図、（ｂ）は係止手段の組み付け図である（変形例）。
【図１２】ガイドワイヤの部分断面図であり、（ａ）は前端部の拡大断面図、（ｂ）は後端部の拡大断面図である。
【符号の説明】
【００７６】
１  焼型
２  金型本体
２１  表面
２２  裏面
２７  通気孔
３  蓋体
３１  蓋板部
３２、３３  側板部
３４、３５  押え縁板部（押し付け手段）
３６  窪み（凸部）
３７  突出部
４  型溝
４１、４７  開口部
４２  直線部
４３  湾曲部
４４  第１湾曲部
４５  第２湾曲部
４６  第３湾曲部
６  当て板
６Ａ  型枠
６３  側壁
６４  ピン
７  固定手段
７Ａ  アーム治具
７Ｂ  締結手段
７Ｃ  係止手段
７１  アーム部（アーム）
７８  クリップ
９  ガイドワイヤ
９１  金属線コイル
９２  芯線
９３  安全ワイヤ
【図１】
2006341074.tif 000003
【図２】
2006341074.tif 000004
【図３】
2006341074.tif 000005
【図４】
2006341074.tif 000006
【図５】
2006341074.tif 000007
【図６】
2006341074.tif 000008
【図７】
2006341074.tif 000009
【図８】
2006341074.tif 000010
【図９】
2006341074.tif 000011
【図１０】
2006341074.tif 000012
【図１１】
2006341074.tif 000013
【図１２】
2006341074.tif 000014
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
金属線コイルからなるガイドワイヤの所定部分に湾曲形状の付形部を熱処理成形するための焼型であって、表面に前記付形部に対応した形状に沿って凹設されるとともに側面に開口した開口部を有する型溝を設けた板状の金型本体と、前記金型本体の表面に被せられる蓋体とを備える焼型において、  前記蓋体は、前記金型本体の前記表面と接合する蓋板部と、前記金型本体とスライド可能に嵌合するとともに前記金型本体を蓋板部側に押し付け保持する押し付け手段とを有し、  前記蓋体の前記押し付け手段は、前記蓋板部の両側から前記金型本体の裏面方向に延設された側板部と、この各側板部から内側に延設され前記金型本体の裏面に圧接する押え縁板部とを有するとともに、前記蓋体を、前記押え縁板部を内側にして長手方向に湾曲させ、 前記金型本体に前記蓋体を被せた際、弾性反力利用により、前記金型本体を蓋板部側へ押し付ける押し付け力を大きくしたことを特徴とする焼型。
【請求項２】
請求項１に記載の焼型において、 前記蓋体の前記蓋板部は、前記押え縁板部と反対の方向に向かって突設する突出部を有し、前記蓋体の中央部での断面二次モーメントをより増大させたことを特徴とする焼型。
【請求項３】
請求項１または請求項２に記載の焼型において、 前記型溝は、前記表面に、直線的に凹設された直線部と、前記直線部から２種以上の形状に枝別れし凹設された湾曲部とを有することを特徴とする焼型。
【請求項４】
請求項１または請求項２に記載の焼型において、 前記金型本体は、向かい合う２つの側面に開口した前記開口部を有し、 前記型溝は、前記金型本体の前記表面に凹設されるとともに、一方の開口部を有する第１型溝と、他方の開口部を有するとともに前記第１型溝の対称形状の第２型溝とからなることを特徴とする焼型。
【請求項５】
請求項１ないし請求項４のいずれかに記載の焼型において、 前記金型本体は、前記金型本体の前記表面および裏面に、前記型溝を設けられたことを特徴とする焼型。
【請求項６】
請求項１ないし請求項５のいずれかに記載の焼型において、  前記金型本体は、前記型溝が複数並設されていることを特徴とする焼型。
【請求項７】
請求項１ないし請求項６のいずれかに記載の焼型を用いたガイドワイヤの製造方法。
【請求項８】
請求項７に記載のガイドワイヤの製造方法において、オーステナイト系ステンレス鋼線材からなり、かつ、磁性を帯びた前記金属線コイルを用いることを特徴とするガイドワイヤの製造方法。
【請求項９】
請求項７または請求項８に記載のガイドワイヤの製造方法において、  前記金属線コイルに安全ワイヤを挿入して、前記安全ワイヤの前端を前記金属線コイルの付形すべき側の一端部に固定するとともに、この固定端以外を自由状態にして、前記金属線コイルから突き出してセットし、前記金属線コイルを前記焼型に挿入したまま熱処理成形し、その後、前記金属線コイルから突き出した部分の前記安全ワイヤを切断して、この切断端を前記金属線コイルの他端部に固定することを特徴とするガイドワイヤの製造方法。
【請求項１０】
請求項７または請求項８に記載のガイドワイヤの製造方法において、  前記金属線コイルを前記焼型に挿入したまま熱処理成形し、その後、前記金属線コイルの内部に芯線と安全ワイヤを挿入し、前記安全ワイヤの前端を前記金属線コイルの付形した側の一端部に固定するとともに、前記安全ワイヤと前記芯線のそれぞれの後端を前記金属線コイルの他端部に固定することを特徴とするガイドワイヤの製造方法。
【請求項１１】
請求項７ないし請求項１０のいずれかに記載のガイドワイヤの製造方法において、加熱処理後の前記ガイドワイヤの外周に、電解研磨または電解研磨と電解研磨後の超音波洗浄を施すことを特徴とするガイドワイヤの製造方法。
【請求項１２】
請求項７ないし請求項１１のいずれかに記載のガイドワイヤの製造方法において、加熱処理後の前記ガイドワイヤの外周に樹脂被覆を施し、さらにこの樹脂被覆の外周に親水性ポリマーの被覆層を設けることを特徴とするガイドワイヤの製造方法。
【手続補正２】
【補正対象書類名】明細書
【補正対象項目名】全文
【補正方法】変更
【補正の内容】
【発明の詳細な説明】
【技術分野】
【０００１】  本発明は、血管、尿管、器官等へのカテーテルの挿入や、血管の動脈瘤形成部への体内留置具の挿入の際にガイドとして用いられる医療用の分野等の用途に好適なガイドワイヤに係わり、特にガイドワイヤに付形部を成形するのに使用する、焼型およびその焼型を用いたガイドワイヤの製造方法に関するものである。
【背景技術】
【０００２】  ガイドワイヤ９は（図１０参照）、ステンレス・プラチナ・金・タングステンなどの金属線を密着状にコイリングした可撓性の金属線コイル９１と、ステンレス・炭素鋼などの材質にて形成された芯線９２と、金属線コイル９１の伸びを防止するための安全ワイヤ９３とを有するとともに、一方の端部は、湾曲形状に曲成した付形部９４となっている（付形部９４側を前端側とする）。金属線コイル９１の内部に芯線９２および安全ワイヤ９３が挿入される。安全ワイヤ９３は両端が金属線コイル９１の両端部に固定されており、芯線９２は前端がテーパー状に形成されており、後端のみが、金属線コイル９１の後端に固定されている（図１０（ａ）、図１０（ｂ）参照）。  また、ガイドワイヤ９の付形部９４は、芯線９２が固定されていないため、柔軟となっている。これは、血管等を損傷しないようにするためである。【０００３】  付形部９４を有するガイドワイヤ９の製造方法には、ガイドワイヤ９の芯線９２が固定されていない側の端部である前端部を、湾曲形状に凹設された型溝が設けられた金型本体内に挿入し、蓋体を被せた後、加熱炉に入れ、熱処理成形し、湾曲形状の付形部９４を成形するという方法がある（特許文献１）。【０００４】  しかし、蓋体を被せるだけでは、熱処理による熱変形により、蓋体が脱落し、ガイドワイヤ９が脱落するなどの問題があり、品質の高い付形形状が得られないことがあった。  特に、金型本体とガイドワイヤとの熱膨張係数の差から生じる歪み、変形などにより、外径１ｍｍ以下のような線径が小さいガイドワイヤの付形部に変形を生じさせやすい。  また、同一金型本体により多形状の成形を可能にし、複数同時に効率よく成形するといった、生産性向上に繋がる手段は特許文献１には提示されていない。【特許文献１】特許第３３００１５５号公報
【発明の開示】
【発明が解決しようとする課題】
【０００５】  本発明は、上記の問題点を解決するためになされたものであり、ガイドワイヤの付形部の成形に用いられる焼型であって、ガイドワイヤの脱落を防止する蓋体を有する焼型、多形状の成形可能な焼型、複数のガイドワイヤを同時に成形する焼型を提供するとともに、高品質、高生産性にて加工することができるガイドワイヤの製造方法を提供することを目的とする。
【課題を解決するための手段】
【０００６】  〔請求項１の手段〕  請求項１に記載の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体と、金型本体の表面に被せられる蓋体とを備える焼型において、蓋体は、金型本体の表面と接合する蓋板部と、金型本体とスライド可能に嵌合するとともに金型本体を蓋板部側に押し付け保持する押し付け手段とを有し、蓋体の押し付け手段は、蓋板部の両側から金型本体の裏面方向に延設された側板部と、この各側板部から内側に延設され金型本体の裏面に圧接する押え縁板部とを有するとともに、蓋体を、押え縁板部を内側にして長手方向に湾曲させ、金型本体に蓋体を被せた際、弾性反力利用により、金型本体を蓋板部側へ押し付ける押し付け力を大きくした。【０００７】  蓋体が、金型本体の表面と接合する蓋板部と、金型本体とスライド可能に嵌合するとともに金型本体を蓋板部側に押し付け保持する押し付け手段とを有することにより、金型本体への蓋体の装着が容易であり、型溝の設けられた金型本体の表面が蓋板部に押し付けられることで、型溝に挿入されたガイドワイヤの脱落が防止できる。さらに、加熱炉内の熱風を、ガイドワイヤに直接当てることなく、蓋体と金型本体との空間部の温度を、より一定に保つことができるという効果もある。  そして、蓋体の押し付け手段は、蓋板部の両側から金型本体の裏面方向に延設された側板部と、各側板部から内側に延設され金型本体の裏面に圧接する押え縁板部とを有するとともに、蓋体を押え縁板部を内側にして長手方向に湾曲させたことにより、金型本体に蓋体を被せた際、弾性反力利用により、金型本体を蓋板部側へ押し付ける押し付け力を大きくし、これにより、確実に金型本体を蓋体の蓋板部側に押し付け、金型本体を保持するため、金型本体からの蓋体、および金型本体の型溝に挿入されたガイドワイヤの脱落が防止できる。【０００８】  〔請求項２の手段〕  請求項２に記載の焼型では、蓋体の蓋板部は、押え縁板部と反対の方向に向かって突設する突出部を有し、蓋体の中央部での断面二次モーメントをより増大させた。【０００９】 これにより、高温・常温での繰り返し熱サイクル環境下においても、金型本体との着脱による、耐へたり性を向上させることができる。【００１０】 〔請求項３の手段〕  請求項３に記載の焼型では、型溝は、表面に、直線的に凹設された直線部と、直線部から２種以上の形状に枝別れし凹設された湾曲部とを有する。  これにより、同一の金型本体を用いて、２種以上の形状の付形部を成形することが可能であり、異なる形状の付形部の成形をする毎に、金型本体を変更する必要がなく、その分、作業工程を削減できる。【００１１】  〔請求項４の手段〕  請求項４に記載の焼型では、金型本体は、向かい合う２つの側面に開口した開口部を有し、型溝は、金型本体の表面に凹設されるとともに、一方の開口部を有する第１型溝と、他方の開口部を有するとともに第１型溝の対称形状の第２型溝とからなる。  これにより、金型本体の向きを入れ替えることなく、向かい合う２つの方向から焼型へのガイドワイヤの組み付け作業をすることができ、組み付け作業の効率化、組み付け作業スペースの省スペース化に繋がる。【００１２】  〔請求項５の手段〕  請求項５に記載の焼型では、金型本体は、金型本体の表面および裏面に、型溝を有する。  これにより、１つの金型本体で、ガイドワイヤ２本を同時に成形することができ、生産性が向上する。【００１３】  〔請求項６の手段〕  請求項６に記載の焼型では、金型本体は、型溝が複数並設されている。  これにより、１つの金型本体で、ガイドワイヤを複数同時に成形することができ、生産性が向上する。【００１４】 〔請求項７の手段〕  上記したような焼型を用いたガイドワイヤの製造方法を提供することにより、高品質、高生産性にてガイドワイヤを製造することができる。【００１５】  〔請求項８の手段〕  請求項８に記載のガイドワイヤの製造方法では、オーステナイト系ステンレス鋼線材からなり、かつ、磁性を帯びた金属線コイルを用いる。  これにより、焼型への金属線コイルの組み付けが容易となる。すなわち、磁性を帯びた金属線コイルであれば、金型本体の裏面側に磁石を配置することで、金型本体へ金属線コイルを吸着することができ、焼型への組み付けが容易となる。  また、オーステナイト系ステンレス鋼材を使用することによって、焼入れ硬化性や高温脆性がないので、熱処理成形後のガイドワイヤの柔軟性を保つことができる。【００１６】  〔請求項９の手段〕  請求項９に記載のガイドワイヤの製造方法では、金属線コイルに安全ワイヤを挿入して、安全ワイヤの前端を金属線コイルの付形すべき側の一端部に固定するとともに、この固定端以外を自由状態にして、金属線コイルから突き出してセットし、金属線コイルを焼型に挿入したまま熱処理成形し、その後、金属線コイルから突き出した部分の安全ワイヤを切断して、この切断端を金属線コイルの他端部に固定する。  安全ワイヤの両端を金属線コイルの両端に固定したとすると、付形形状に曲げたときに、金属線コイルは曲率半径の大きい側に隙間を生じるため、金属線コイルの長さは伸びることになるが、安全ワイヤは容易に伸びないため、両端を伸びようとする金属線コイルに固定されている安全ワイヤには、引張応力が発生する。この引張応力のために、安全ワイヤの破損を招く虞がある。  このため、安全ワイヤの前端のみ固定し、その固定端以外は自由状態となることで、上記したような不具合を回避することができ、付形部を形成する際に、安全ワイヤに負担がかかることがなく、破損の虞を低減できる。【００１７】  〔請求項１０の手段〕  請求項１０に記載のガイドワイヤの製造方法では、金属線コイルを焼型に挿入したまま熱処理成形し、その後、金属線コイルの内部に芯線と安全ワイヤを挿入し、安全ワイヤの前端を金属線コイルの付形した側の一端部に固定するとともに、安全ワイヤと芯線のそれぞれの後端を金属線コイルの他端部に固定する。  芯線および安全ワイヤを、熱処理成形後の金属線コイルに挿入したことにより、熱処理成形前に安全ワイヤを挿入し、安全ワイヤの両端を金属線コイルの両端に固定した場合に生じる、安全ワイヤに発生する引張応力による安全ワイヤの破損の虞を低減することができる。【００１８】  〔請求項１１の手段〕  請求項１１に記載のガ���ドワイヤの製造方法では、加熱処理後のガイドワイヤの外周に、電解研磨または電解研磨と電解研磨後の超音波洗浄を施す。  これにより、ガイドワイヤの耐食性が向上する。【００１９】  〔請求項１２の手段〕  請求項１２に記載のガイドワイヤの製造方法は、加熱処理後のガイドワイヤの外周に樹脂被覆を施し、さらにこの樹脂被覆の外周に親水性ポリマーの被覆層を設ける。  これにより、ガイドワイヤの外表面の滑性効果を得る事ができる。
【発明を実施するための最良の形態】
【００２０】  最良の形態１の焼型は、金属線コイルからなるガイドワイヤの所定部分に湾曲形状の付形部を熱処理成形するための焼型であって、表面に付形部に対応した形状に沿って凹設されるとともに側面に開口した開口部を有する型溝を設けた板状の金型本体と、金型本体の表面に被せられる蓋体とを備える焼型において、蓋体は、金型本体の表面と接合する蓋板部と、金型本体とスライド可能に嵌合するとともに金型本体を蓋板部側に押し付け保持する押し付け手段とを有し、蓋体の押し付け手段は、蓋板部の両側から金型本体の裏面方向に延設された側板部と、この各側板部から内側に延設され金型本体の裏面に圧接する押え縁板部とを有するとともに、蓋体を、押え縁板部を内側にして長手方向に湾曲させ、金型本体に蓋体を被せた際、弾性反力利用により、金型本体を蓋板部側へ押し付ける押し付け力を大きくした。【００２１】  最良の形態２の焼型は、蓋体の蓋板部が、押え縁板部と反対の方向に向かって突設する突出部を有し、蓋体の中央部での断面二次モーメントをより増大させた。
【実施例１】
【００２２】 〔第１比較例の構成〕 本発明の実施例１に対する第１比較例の焼型１の構成を、図１、図２および図１０を用いて説明する。  本比較例の焼型１は、金型本体２と、金型本体２に被せられる蓋体３とを備える。【００２３】  金型本体２は、被成形物であるガイドワイヤ９の金属線コイル９１と同種の材料にて形成される。すなわち、本比較例では、金属線コイル９１は、オーステナイト系ステンレス鋼線材にて形成されており、金型本体２は、それと熱膨張係数、熱伝導率がいずれも等しい同種の材料であるオーステナイト系ステンレス鋼、又はオーステナイト系ステンレス快削鋼にて形成されている。  金型本体２は、長方形の板状であって、長辺に沿う方向が長手方向、短辺に沿う方向が短手方向である。  金型本体２の表面２１には、金型本体２の長手方向に向かって型溝４が設けられている。【００２４】  型溝４は、金型本体２の表面に凹設され、金型本体２の短手方向に平行な側面に開口した開口部４１を有する。さらに、型溝４は、開口部４１から直線的に凹設された直線部４２と、直線部４２から滑らかに連続して約２７０度の円弧形状に凹設された湾曲部４３とを有する。型溝４の溝幅と溝深さはガイドワイヤ９の直径に対応した大きさであり、断面形状は矩形形状である。本比較例では、ガイドワイヤ９の直径が０．８９ｍｍで、型溝４の溝幅と溝深さは、ともに０．９ｍｍで形成されている。型溝４の断面形状は矩形形状に限らず、半円状などでもよい。【００２５】  蓋体３は、金属材料、好ましくは金型本体２と同種の材料の板材より形成されている。蓋体３は、金型本体２の表面２１と接合する蓋板部３１と、金型本体２とスライド可能に嵌合するとともに金型本体２を蓋板部側に押し付け保持する押し付け手段とを有する。  蓋体３は１枚の板材を折り曲げ加工することにより形成されており、金型本体２の表面２１を覆う蓋板部３１と、金型本体２の開口部４１が設けられていない側面である長手方向に平行な両側面を覆う側板部３２、３３と、金型本体２の裏面に圧接する押え縁板部３４、３５とを有する。この押さえ縁板部３４、３５は、金型本体２を蓋板部側に押し付け保持する押し付け手段である。【００２６】  蓋体３の上部は金型本体２の表面２１を覆うとともに表面２１に接合する蓋板部３１となっており、蓋板部３１は金型本体２の表面２１の形状に比べて、長手方向には少し短く、短手方向には少し大きい長方形をしている。長手方向に少し短くしたのは、金型本体２と蓋体３との着脱を容易にするためである。また、蓋体３は、蓋板部３１の両側から金型本体２の裏面方向に約９０度に折り曲げて延設された側板部３２、３３を有し、各側板部３２、３３の高さは、金型本体２の厚さよりも幾分大きい。さらに蓋体３は、各側板部３２、３３から内側に約１３０度に折り曲げて延設され端部が金型本体２の裏面２２に圧接する押え縁板部３４、３５を有する。  押え縁板部３４、３５の端部は、金型本体２の裏面２２に圧接し、金型本体２を蓋板部側に押し付けている。また、側板部３２、３３および押さえ縁板部３４、３５は、金型本体２を長手方向にスライド可能に保持するよう金型本体２に係合する役目もしている。【００２７】  〔第１比較例の製造方法〕  図１０に示すごとく、ガイドワイヤ９は、金属線コイル９１の内部に芯線９２および安全ワイヤ９３が挿入され、安全ワイヤ９３の両端を金属線コイル９１の両端部に固定し、前端がテーパー状に形成された芯線９２の後端を金属線コイル９１の後端部に固定してなる。また、ガイドワイヤ９は前端部に湾曲形状の付形部９４を有する。このガイドワイヤ９の製造方法は以下の手順からなっている。【００２８】  金属線コイル９１に、安全ワイヤ９３を挿入し、安全ワイヤ９３の前端を金属線コイル９１の付形すべき側の端部である前端部にロー付け溶着する。前端を固定した安全ワイヤ９３は金属線コイル９１の中空部を自由状態で貫挿し、安全ワイヤ９３の後端は、金属線コイル９１から突き出した状態でセットされる。  続いて、金型本体２の下に磁石５を置き、安全ワイヤ９３の挿入された金属線コイル９１の前端部を金型本体２の型溝４に組み付け、その後に蓋体３を被せる（図２参照）。その後、磁石５をはずし、安全ワイヤ９３の挿入された金属線コイル９１を付形保持した焼型１を加熱炉に入れて、熱処理成形する。【００２９】  熱処理成形後、前端にテーパーが形成された芯線９２を金属線コイル９１に挿入し、芯線９２および安全ワイヤ９３の金属線コイル９１から突き出した部分を切断し、芯線９２および金属線コイル９１のそれぞれの切断端である後端を金属線コイル９１の後端部に溶着固定する。【００３０】  しかるのち、付形成形されたガイドワイヤ９の付形部９４を電解液に浸漬して、公知の手段により電解研磨を施し、さらに必要に応じてその電解研磨した部分に公知の手段により、超音波洗浄を施す。  続いてガイドワイヤ９を架設治具に取り付けて、スプレーガンによってポリテトラフルオロエチレンを吹き付け、その後、加熱炉に入れ、３８０℃で３０分のポリテトラフルオロエチレンの焼成乾燥を施すことにより、ガイドワイヤ９の外周に樹脂被覆の被覆処理を施す。その後、樹脂被覆の外周にディッピング工法等により、外表面に親水性ポリマーの被覆層を設ける。【００３１】  〔第１比較例の効果〕  金型本体２は、金属線コイル９１と同種の材料にて形成された。これにより、金型本体２と金属線コイル９１との間の熱膨張係数、熱伝導率の差をなくして、付形形状の安定成形が可能となる。  この比較例では、金属線コイル９１の材質は熱膨張係数が一般炭素鋼の１．５〜１．６倍であるオーステナイト系ステンレス鋼である。この場合に、一般炭素鋼で形成された金型本体２を用いるとすると、金属線コイル９１と金型本体２の熱膨張係数の差により、熱処理成形の際に金型本体２の型溝４内での金属線コイル９１の蛇行、歪み、変形を生じやすく、さらに、熱処理成形後の金型本体２からの取り出しも容易に行えない虞がある。又、熱伝導率差を生ずる材料を用いると、昇降温時のタイムラグの発生により、蛇行、歪み、変形を生じやすい。特に、本比較例ではガイドワイヤ９の外径が０．８９ｍｍであり、これに用いる安全ワイヤ９３は細径（幅０．２６５ｍｍ、板厚０．０６５ｍｍ）であり、この熱影響を大きく受けやすいからである。  一方、金型本体２に金属線コイル９１と同種のオーステナイト系ステンレス鋼、又はオーステナイト系ステンレス快削鋼を用いることで、上述したような不具合を回避することができ、付形形状の安定成形が可能となる。【００３２】  尚、金型本体２にオーステナイト系ステンレス快削鋼を用いる理由は、金型本体２には、細径の溝幅と溝深さ（ともに０．９ｍｍ）、且つ湾曲形状の型溝４を加工しなければならず金型表面肌、切削傷などを良好とさせる加工性の観点から、又、工具寿命が長く、且つ切り屑処理が容易な快削鋼が望ましいからである。【００３３】  蓋体３は、金型本体２の表面２１を覆う蓋板部３１と、金型本体２の長手方向に平行な両側面を覆う側板部３２、３３と、金型本体２の裏面２２に圧接する押え縁板部３４、３５とを有する。  これにより、押え縁板部３４，３５は、金型本体２の裏面２２に圧接し、金型本体２を保持するため、金型本体２からの蓋体３、および金型本体２の型溝４に挿入されたガイドワイヤ９の脱落が防止できる。  また、蓋体３が、金型本体２を覆うように被せられる構造であるので、加熱炉内の熱風を、型溝４に挿入されたガイドワイヤ９に直接当てることなく、蓋体３と金型本体２との空間部の温度を、より一定に保つことができるという効果もある。【００３４】  この比較例の製造方法では、オーステナイト系ステンレス鋼線材にて形成された金属線コイル９１を用いた。  オーステナイト系ステンレス鋼線材は、ダイスによる伸線加工により、加工誘起変態して磁性を帯びる。したがって、金型本体２の下に磁石５を配置し、型溝４に金属線コイル９１を挿入すると、磁力により金属線コイル９１は金型本体２に吸着するため、焼型１への金属線コイル９１の組み付けが容易となる。  また、オーステナイト系ステンレス鋼線材を使用することによって、焼入れ硬化性や高温脆性がないので、成形後のガイドワイヤ９の柔軟性を保つことができる。【００３５】  また、この製造方法では、金属線コイル９１に、安全ワイヤ９３を挿入し、安全ワイヤ９３の前端を金属線コイル９１の付形すべき側の端部である前端部に固定し、その固定端以外を自由端とし安全ワイヤ９３の後端部は金属線コイル９１から突き出した状態でセットし、安全ワイヤ９３の挿入された金属線コイル９１を焼型１に組み付けた。【００３６】  安全ワイヤ９３の両端を金属線コイル９１の両端部に固定してから、円弧形状に曲げて成形すると、金属線コイル９１は曲率半径の大きい側に線間に隙間を生じるため、金属線コイル９１の長さは伸びることになる。一方、安全ワイヤ９３は容易に伸びないため、両端部が伸びようとする金属線コイル９１に固定されている安全ワイヤ９３には、引張応力が発生する。この引張応力のために、安全ワイヤ９３の破損を招く虞がある。  特に、本比較例で用いる安全ワイヤ９３は細径（幅０．２６５ｍｍ、板厚０．０６５ｍｍ）であり、かかる不具合を発生しやすい。  このため、安全ワイヤ９３の前端部のみ固定し、その固定端以外は自由状態となることで、上記したような不具合を回避することができ、付形部９４を形成する際に、安全ワイヤ９３に負担がかかることがなく、破損の虞を低減できる。【００３７】  ガイドワイヤ９の金属線コイル９１にオーステナイト系ステンレス鋼線材を用いると、線材の冷間伸線加工によって加工誘起変態して磁性を帯び、ダイスによる伸線加工によって表面は鏡面状となるので、公知のファン・デル・ワールスの分子間吸着力が生じるうえ、コイル線間隙間構造のために異物・微小鉄粉が付着しやすくなる。そのため、すきま腐食や、もらい錆により耐食性が低下する虞がある。  そこで、付形成形されたガイドワイヤ９を電解液に浸漬して、電解研磨を施し、さらに超音波洗浄を施したことにより、金属表面の酸化スケールが除去され線材表面のクロム濃度が回復され不動態皮膜を形成されるために、上記したような不具合を防止して、耐食性が向上する。【００３８】  また、熱処理成形後、ガイドワイヤ９の外周に樹脂被覆を施し、さらにこの樹脂被覆の外周に親水性ポリマーの被覆層を設けたことにより、ガイドワイヤ９の滑性効果が向上し、よりスムーズに血管や、尿管、気管などに挿入することが可能となる。  尚、ここでいう親水性ポリマーとは、湿潤時に潤滑性を有するポリビニルピロリドンなどの潤滑性物質をいう。【００３９】  〔第２比較例の構成〕 本発明の実施例１に対する第２比較例の焼型１の構成を、図３を用いて説明する。  本比較例の焼型１は、金型本体２が、表面２１に凹設されるとともに金型本体２の短手方向に平行な側面に開口した開口部４１を有する型溝４を設けており、型溝４は、開口部４１と、開口部４１から直線的に凹設された直線部４２と、直線部４２から枝分かれし凹設された３種類の湾曲部４３を有する。３種類の湾曲部４３は、曲率半径が相対的に小さい湾曲形状である第１湾曲部４４、曲率半径が相対的に中程度の湾曲形状である第２湾曲部４５、曲率半径が相対的に大きい湾曲形状である第３湾曲部４６である。【００４０】  〔第２比較例の製造方法〕  ガイドワイヤ９の製造方法は以下の手順からなっている。  金属線コイル９１の前端部を、第１湾曲部４４、第２湾曲部４５、第３湾曲部４６の内のどれかひとつを選択し、金型本体２に挿入する。その後に蓋体３を被せ、金属線コイル９１を付形保持し、そのまま加熱炉に入れて、熱処理成形する。  熱処理成形後、芯線９２および安全ワイヤ９３を、金属線コイル９１に挿入し、安全ワイヤ９３の前端を金属線コイル９１の前端部に溶着固定し、芯線９２および安全ワイヤ９３のそれぞれの後端を金属線コイル９１の後端部に溶着固定する。【００４１】  〔第２比較例の効果〕  金型本体２は、開口部４１と、開口部４１から直線的に凹設された直線部４２と、直線部４２から枝分かれし凹設された３種類の湾曲部４３（第１湾曲部４４、第２湾曲部４５、第３湾曲部４６）を有する型溝４を設けられている。  これにより、同一の金型本体２を用いて、３種類の形状に付形成形することが可能であり、異なる形状に付形成形する毎に、金型本体２を変更する必要がなく、その分、作業工程が少なくなり、生産性が向上する。【００４２】  ガイドワイヤ９の製造方法において、芯線９２および安全ワイヤ９３を、熱処理成形後に挿入し、その両端を金属線コイル９１の両端に固定した。  これにより、安全ワイヤ９３を挿入して両端を金属線コイル９１の両端に固定した後に湾曲させ熱処理成形する場合に生じる、安全ワイヤ９３に発生する引張応力による安全ワイヤ９３の破損の虞を低減することができる。【００４３】  〔第３比較例〕 本発明の実施���１に対する第３比較例の焼型１の構成を、図４を用いて説明する。  本比較例の焼型１は、金型本体２が、表面に凹設されるとともに金型本体２の短手方向に平行な側面に開口した開口部４１を有する第１型溝４Ａを設けられている。また、金型本体２は、表面に凹設されるとともに開口部４１が設けられた側面と向かい合う側面に開口した開口部４７を有する第２型溝４Ｂを設けられている。  本比較例では、第２型溝４Ｂは、第１型溝４Ａの対称形状であるとともに第１型溝４Ａと第２型溝４Ｂとが同一直線上に設けられており、第１型溝４Ａおよび第２型溝４Ｂの一部が、第１型溝４Ａと第２型溝４Ｂとが共有する共有部４８となっている。本比較例では第１型溝４Ａと第２型溝４Ｂとが同一直線上に設けられているが、同一直線上に設けられていなくてもよい。【００４４】  金型本体２は、向かい合う２つの側面に開口した開口部４１，４７を有するとともに各側面の開口部４１，４７から付形形状に沿って表面に凹設された第１型溝４Ａと第２型溝４Ｂを設けられている。これにより、開口部４１からも、開口部４７からもガイドワイヤ９を挿入し、組み付けることができる。したがって、金型本体２の向きを入れ替えることなく、対向する２つの方向から焼型１へのガイドワイヤ９の組み付け作業をすることができ、組み付け作業の効率化、組み付け作業スペースの省スペース化に貢献する。【００４５】  〔第４比較例〕 本発明の実施例１に対する第４比較例の焼型１の構成を、図５を用いて説明する。  本比較例の焼型１は、金型本体２は、表面２１および裏面２２に、型溝４が形成されている。  図５では、表面２１と裏面２２に、同じ形状の型溝４が設けられているが、互いに異なる形状の型溝４が設けられていてもよい。  これにより、１つの金型本体２で、２本のガイドワイヤ９を同時に成形することができ、生産性が向上する。【００４６】  〔第５比較例〕 本発明の実施例１に対する第５比較例の焼型１の構成を、図６を用いて説明する。  本比較例の焼型１は、金型本体２に、３つの型溝４が平行に並設されている。  これにより、１つの金型本体２で、複数本のガイドワイヤ９を同時に成形することができ、生産性が向上する。【００４７】  〔第６比較例〕 本発明の実施例１に対する第６比較例の焼型１の構成を、図７を用いて説明する。  焼型１は、蓋体３の押し付け手段が、金型本体２の表面２１に向けて突設する凸部を有する。すなわち、蓋体３に、蓋体３を金型本体２に被せた際に金型本体２の表面２１に突き当たるように、蓋板部３１の中心を窪ませた窪み３６を設けて、窪み３６が金型本体２の表面２１に突設する凸部となるようにした。【００４８】  押え縁板部３４、３５に加え、金型本体２の表面２１に向けて突き当たる凸部である窪み３６を有することにより、金型本体２を蓋板部側へ押し付ける押し付け力が大きくなり、さらに確実に金型本体２を保持する。それゆえに、金型本体２からの蓋体３、および金型本体２の型溝４に挿入されたガイドワイヤ９の脱落が防止できる。  本比較例では、蓋体３に窪み３６を設けたが、蓋体３が金型本体２の表面２１に向けて突設する凸部を有すればよく、蓋板部３１の金型本体側の面に突起物を設ける構成にしてもよい。【００４９】  〔実施例１〕  実施例１の焼型１の構成を、図８を用いて説明する。  本実施例の焼型１は、蓋体３が押え縁板部３４、３５を内側にして長手方向に湾曲している。  これにより、金型本体２に蓋体３を被せた際、弾性反力利用により、金型本体２を蓋板部側に押し付ける押し付け力が大きくなり、さらに加熱炉内においても、より確実に金型本体２を保持する。それゆえに、金型本体２からの蓋体３、および金型本体２の型溝４に挿入されたガイドワイヤ９の脱落が防止できる。
【実施例２】
【００５０】  実施例２の焼型１の構成を、図９を用いて説明する。  本実施例の焼型１は、蓋体３は、押え縁板部３４、３５を内側にして長手方向に湾曲しているとともに、押し付け力に対する強度を持たせるため蓋板部３１の外側に凸設された突出部３７が設けられている。  これにより、特に蓋体３の中央部での断面二次モーメントをより増大させ、高温・常温での繰り返し熱サイクル環境下においても、金型本体２との着脱による、耐へたり性を向上させることができる。
【図面の簡単な説明】
【００５１】
【図１】焼型の三面図であり、（ａ）は焼型の表面から見た正面図、（ｂ）は底面図、（ｃ）は右側面図である（第１比較例）。
【図２】焼型に金属線コイルを組み付けた際の斜視図である（第１比較例）。
【図３】焼型の斜視図である（第２比較例）。
【図４】焼型の斜視図である（第３比較例）。
【図５】焼型の斜視図である（第４比較例）。
【図６】焼型の斜視図である（第５比較例）。
【図７】焼型の三面図であり、（ａ）は焼型の表面から見た正面図、（ｂ）は底面図、（ｃ）は右側面図である（第６比較例）。
【図８】焼型の三面図であり、（ａ）は焼型の表面から見た正面図、（ｂ）は底面図、（ｃ）は右側面図である（実施例１）。
【図９】焼型の三面図であり、（ａ）は焼型の表面から見た正面図、（ｂ）は底面図、（ｃ）は右側面図である（実施例２）。
【図１０】ガイドワイヤの部分断面図であり、（ａ）は前端部の拡大断面図、（ｂ）は後端部の拡大断面図である。
【符号の説明】
【００５２】１  焼型２  金型本体２１  表面２２  裏面３  蓋体３１  蓋板部３２、３３  側板部３４、３５  押え縁板部（押し付け手段）３６  窪み（凸部）３７  突出部４  型溝４１、４７  開口部４２  直線部４３  湾曲部４４  第１湾曲部４５  第２湾曲部４６  第３湾曲部４Ａ 第１型溝４Ｂ 第２型溝９  ガイドワイヤ９１  金属線コイル９２  芯線９３  安全ワイヤ９４  付形部
【手続補正３】
【補正対象書類名】図面
【補正対象項目名】図１０
【補正方法】変更
【補正の内容】
【図１０】
2006341074.tif 000015
【手続補正４】
【補正対象書類名】図面
【補正対象項目名】図１１
【補正方法】削除
【補正の内容】
【手続補正５】
【補正対象書類名】図面
【補正対象項目名】図１２
【補正方法】削除
【補正の内容】